(57)【要約】【課題】  レベルワインド機構を有さない両軸受リールにおいて、糸ふけによる偏った巻き付けを抑える。【解決手段】  第１側板１０と第２側板１１との間に配置された前部の連結部材１２には、釣り糸が前方に繰り出されたときに糸ふけするのを防止する糸ふけ防止部材５０が着脱自在に装着されている。糸ふけ防止部材５０は、前部の連結部材１２に装着される装着部５２と、スプール１５の前方側に装着部５２から延びて設けられスプール１５から繰り出される釣り糸が前後方向に挿通可能であり釣り糸の左右方向の移動範囲が規制されたガイド部５１とを有している。ガイド部５１は、略コ字状に折れ曲がる針金部材であり、装着部５２と一体成形されている。【選択図】      図３
2005130707.tif 000002
【特許請求の範囲】
【請求項１】
レベルワインド機構を有さない両軸受リールのリール本体に回転自在に装着されたスプールに巻かれた釣り糸が前方に繰り出されたときに前記リール本体の外側に糸ふけするのを防止する糸ふけ防止部材であって、
前記リール本体に装着される装着部と、
前記スプールの前方側に前記装着部から延びて設けられ、前記スプールから繰り出される前記釣り糸が前後方向に挿通可能であり、前記釣り糸の左右方向の移動範囲を規制するためのガイド部と、
を備えた糸ふけ防止部材。
【請求項２】
前記装着部は、前記リール本体に着脱自在に装着されている、請求項１に記載の糸ふけ防止部材。
【請求項３】
前記装着部は、前記リール本体に着脱不能に固定されている、請求項１に記載の糸ふけ防止部材。
【請求項４】
前記ガイド部は、前記装着部と一体成形されている、請求項１から３のいずれかに記載の糸ふけ防止部材。
【請求項５】
前記ガイド部は、前記装着部と別体で形成されている、請求項１から３のいずれかに記載の糸ふけ防止部材。
【請求項６】
前記ガイド部の前記釣り糸の左右方向の移動範囲は、前記スプールの前記釣り糸が巻かれる部分の幅より小さい、請求項１から５のいずれかに記載の糸ふけ防止部材。
【請求項７】
前記ガイド部の前記釣り糸の左右方向の移動範囲は、前記スプールの前記釣り糸が巻かれる部分の幅と略同一である、請求項１から５のいずれかに記載の糸ふけ防止部材。
【請求項８】
前記ガイド部は、略コ字状に折れ曲がる針金部材である、請求項１から７のいずれかに記載の糸ふけ防止部材。
【請求項９】
前記リール本体は、前記スプールの両側にそれぞれが互いに対向するように配置され少なくとも前記スプールの前側上方が開口するように設けられた第１側板及び第２側板と、前記第１側板及び前記第２側板を連結し少なくとも１つが前記スプールの前側下方に配置される複数の連結部材とをさらに有しており、
前記装着部は、前記スプールの前側下方に配置された前記連結部材に装着されている、請求項１から８のいずれかに記載の糸ふけ防止部材。
【請求項１０】
前記リール本体は、前記スプールの両側にそれぞれが互いに対向するように配置され少なくとも前記スプールの前側上方が開口するように設けられた第１側板及び第２側板をさらに有しており、
前記装着部は、前記第１側板及び前記第２側板に装着されている、請求項１から８のいずれかに記載の糸ふけ防止部材。
【発明の詳細な説明】
【技術分野】
【０００１】
本発明は、糸ふけ防止部材、特に、レベルワインド機構を有さない両軸受リールのリール本体に回転自在に装着されたスプールに巻かれた釣り糸が前方に繰り出されたときに糸ふけするのを防止する糸ふけ防止部材に関する。
【背景技術】
【０００２】
一般に、両軸受リールは、釣竿に装着されるリール本体と、リール本体に回転自在に支持されたスプールと、リール本体の一側に装着されスプールを回転させるためのハンドルと、ハンドルの回転をスプールに伝達するための回転伝達機構とを備えている。リール本体は、所定の間隔をあけて対向するように配置された左右１対の側板と両側板を連結する連結部材とを有するフレームを有している。
【０００３】
このような両軸受リールにおいて、特に、ジギング（釣竿を繰り返し上下させる操作）を行う場合に用いられるリールでは、ジギングを行う際に釣り糸に作用する抵抗を軽減するために、釣り糸をスプールに均一に巻き付けるためのレベルワインド機構を省いたものが知られている（たとえば、特許文献１参照）。このような両軸受リールでは、レベルワインド機構を介さずに直接釣り糸を巻き取ることができるので、釣り糸に作用する抵抗が軽減され、このため快適にジギングを行うことができる。
【特許文献１】特開平１１−３４６６１２号公報
【発明の開示】
【発明が解決しようとする課題】
【０００４】
前記従来のレベルワインド機構を有さない両軸受リールでは、ジグを落とし込み釣り糸を繰り出しているときや、ジギング時において釣竿を下げたときに、釣り糸に作用する張力が減少したり、あるいは張力がなくなってしまうことがある。このように釣り糸の張力が減少あるいはなくなった状態で風が吹くと、釣り糸がリール本体の外側にふけてしまう場合がある。このような状態で釣り糸をスプールに巻き続けると、糸巻き形状が一方向に偏った形状になるおそれが生じる。
【０００５】
本発明の課題は、レベルワインド機構を有さない両軸受リールにおいて、糸ふけによる偏った巻き付けを抑えることにある。
【課題を解決するための手段】
【０００６】
発明１に係る糸ふけ防止部材は、レベルワインド機構を有さない両軸受リールのリール本体に回転自在に装着されたスプールに巻かれた釣り糸が前方に繰り出されたときにリール本体の外側に糸ふけするのを防止する糸ふけ防止部材であって、リール本体に装着される装着部と、スプールの前方側に装着部から延びて設けられスプールから繰り出される釣り糸が前後方向に挿通可能であり釣り糸の左右方向の移動範囲を規制するためのガイド部とを備えている。
【０００７】
この糸ふけ防止部材は、レベルワインド機構を有さない両軸受リールに装着され、釣り糸が前方に繰り出されたときにリール本体の外側に糸ふけするのを防止するためのものである。この糸ふけ防止部材により、釣り糸がふけても釣り糸の左右方向の移動が規制され、釣り糸がリール本体の外側に移動することがない。したがって、このような糸ふけ防止部材を設けることにより、糸ふけによる偏った巻き付けを抑えることができる。
【０００８】
発明２に係る糸ふけ防止部材は、発明１の糸ふけ防止部材において、装着部は、リール本体に着脱自在に装着されている。この場合、たとえばリールを釣竿に装着した状態で糸ふけ防止部材を装着できるので、釣人が糸ふけ防止部材使用するか否かを任意に選択できる。
【０００９】
発明３に係る糸ふけ防止部材は、発明１の糸ふけ防止部材において、装着部は、リール本体に着脱不能に固定されている。この場合、たとえばリール本体の両側板を連結する連結部材と兼用することにより、全体の部品点数を減少できるとともに、糸ふけ防止部材の紛失を防止できる。
【００１０】
発明４に係る糸ふけ防止部材は、発明１から３のいずれかの糸ふけ防止部材において、ガイド部は、装着部と一体成形されている。この場合、ガイド部と装着部の形成が容易になる。
【００１１】
発明５に係る糸ふけ防止部材は、発明１から３のいずれかの糸ふけ防止部材において、ガイド部は、装着部と別体で形成されている。この場合、たとえばガイド部と装着部とを材質の異なる別部材で形成できる。
【００１２】
発明６に係る糸ふけ防止部材は、発明１から５のいずれかの糸ふけ防止部材において、ガイド部の釣り糸の左右方向の移動範囲は、スプールの釣り糸が巻かれる部分の幅より小さい。この場合、ガイド部の幅をスプールの糸巻き幅より狭くすることにより、スプール外側への糸ふけを確実に防止することができる。
【００１３】
発明７に係る糸ふけ防止部材は、発明１から５のいずれかの糸ふけ防止部材において、ガイド部の釣り糸の左右方向の移動範囲は、スプールの釣り糸が巻かれる部分の幅と略同一である。この場合、ガイド部における釣り糸の左右方向の移動幅を広くできるので、釣り糸がガイド部に接触しにくくなる。
【００１４】
発明８に係る糸ふけ防止部材は、発明１から７のいずれかの糸ふけ防止部材において、ガイド部は、略コ字状に折れ曲がる針金部材である。この場合、たとえば直線状の針金部材を略コ字状に折り曲げてガイド部を形成することにより、ガイド部の構成が簡素になる。また、針金部材の両端部を装着部とすることができるので、釣竿にリールを装着し釣り糸を繰り出した状態で、２つの装着部の間の隙間から糸ふけ防止部材を取り付けることができる。
【００１５】
発明９に係る糸ふけ防止部材は、発明１から８のいずれかの糸ふけ防止部材において、リール本体は、スプールの両側にそれぞれが互いに対向するように配置され少なくともスプールの前側上方が開口するように設けられた第１側板及び第２側板と、第１側板及び第２側板を連結し少なくとも１つがスプールの前側下方に配置される複数の連結部材とをさらに有している。装着部は、スプールの前側下方に配置された連結部材に装着されている。この場合、前側の連結部材に糸ふけ防止部材を設けることにより、糸ふけ防止部材の取り付け及び取り外しが容易になる。
【００１６】
発明１０に係る糸ふけ防止部材は、発明１から８のいずれかの糸ふけ防止部材において、リール本体は、スプールの両側にそれぞれが互いに対向するように配置され少なくともスプールの上方が開口するように設けられた第１側板及び第２側板をさらに有している。装着部は、第１側板及び第２側板に装着されている。この場合、たとえば着脱可能な糸ふけ防止部材において、第１側板及び第２側板の内側面に装着部を装着可能な被装着部を形成することにより、糸ふけ防止部材が外れにくくなる。
【発明の効果】
【００１７】
本発明によれば、レベルワインド機構を有さない両軸受リールにおいて、糸ふけ防止部材によって釣り糸の左右方向の移動範囲が規制されるので、糸ふけによる偏った巻き付けを抑えることができる。
【発明を実施するための最良の形態】
【００１８】
本発明の一実施形態を採用した両軸受リールは、図１から図３に示すように、レベルワインド機構を有さないジギング用の丸型リールであり、リール本体１と、リール本体１の側方に配置されたスプール回転用のハンドル組立体２と、ハンドル組立体２のリール本体１側に配置されたスタードラグ３とを主に備えている。
【００１９】
リール本体１には、スプール１５が回転自在に装着されている。リール本体１は、竿取付脚４を介して釣竿ＲＤに装着される。リール本体１は、図２に示すように、フレーム５と、フレーム５の両側方に装着された第１カバー１３及び第２カバー１４と、第２カバー１４に装着された機構装着板１６とを有している。フレーム５は、所定の間隔をあけて配置された左右１対の第１側板１０及び第２側板１１と、第１側板１０と第２側板１１とを連結する複数の連結部材１２とを有している。機構装着板１６は第２側板１１に接触して配置され、機構装着板１６と第２カバー１４との間には、各種機構を収納するための空間が形成されている。
【００２０】
フレーム５及び第１カバー１３はダイカスト成形により得られ、第２カバー１４は金属薄板をプレス成形して得られる。１対の第１側板１０及び第２側板１１と第１カバー１３とは、それぞれ側面から見て円形をなしている。第２カバー１４には、図２に示すように、後述するハンドル軸３０の装着部分を中心に軸方向外方に膨出した膨出部１４ａが形成されている。この膨出部１４ａのハンドル軸３０の周囲と、後述するスプール軸２５の周囲とには、図２に示すように、それぞれの筒状のボス部１４ｂ、１４ｃがかしめ固定されている。
【００２１】
連結部材１２は、第１側板１０及び第２側板１１の外周に沿う形状で第１側板１０及び第２側板１１と一体で形成された板状の部材であり、たとえばリール本体１の前後部と下部との３箇所で第１側板１０及び第２側板１１を連結している。下部の連結部材１２には竿取付脚４が固定され、後部の連結部材１２には合成樹脂製のサムレスト１７が装着されている。竿取付脚４は、フレーム５の第１側板１０及び第２側板１１間の中心位置に沿って配置されている。第１側板１０と第２側板１１のと間には、スプール１５の前側上方が開口しており、スプール１５の前側下方に前部の連結部材１２が配置されている。前部の連結部材１２には、釣り糸が前方に繰り出されたときに糸ふけするのを防止する糸ふけ防止部材５０が着脱自在に装着されている。
【００２２】
糸ふけ防止部材５０は、図１から図３に示すように、略コ字状に折れ曲がるガイド部５１と、ガイド部５１から下方に延び前部の連結部材１２に装着される装着部５２とを有している。ガイド部５１及び装着部５２は、図４に拡大して示すように、１本の針金部材により一体成形されている。
【００２３】
ガイド部５１は、スプール１５から繰り出される釣り糸が前後方向に挿通可能であり、釣り糸の左右方向の移動範囲を規制するための案内部材である。ガイド部５１は、スプール１５の前側上方の開口に配置され、このため後方側から釣り糸を挿通可能である。ガイド部５１は、下端の装着部５２からやや斜め上前方に延び、後方に反った形状になっている。また、図２に示すように、ガイド部５１の釣り糸の左右方向の移動範囲Ａは、スプール１５の釣り糸が巻かれる部分（後述する糸巻胴部１５ａの両側のフランジ部１５ｂの一部にかかる有効巻き取り部分）の幅Ｂより小さくなっている。
【００２４】
装着部５２は、ガイド部５１下部から後方に一体的に延びて形成され、前部の連結部材１２に着脱自在に装着されている。装着部５２は、図４に示すように、ガイド部５１の下端が後方に折れ曲がる第１折れ曲がり部５２ａと、第１折れ曲がり部５２ａから上方に立ち上がりさらに前部の連結部材１２の外形に沿って略コ字状に折れ曲がる第２折れ曲がり部５２ｂと、第２折れ曲がり部５２ｂの下端がそれぞれ対向するように隙間をあけて左右に折れ曲がる第３折れ曲がり部５２ｃとを有している。第２折れ曲がり部５２ｂの内形は、前部の連結部材１２の外形とほぼ一致するような略コ字状に形成されている。
【００２５】
以下に、糸ふけ防止部材５０を前部の連結部材１２に装着する手順について説明する。
まず、糸ふけ防止部材５０を装着する前に、装着部５２の第３折れ曲がり部５２ｃの間の隙間に釣り糸を挿通し、釣り糸をガイド部５１の内部に導入する。次に、装着部５２の第２折れ曲がり部５２ｂを前部の連結部材１２の上方から挟み込むようにして装着する。
【００２６】
ハンドル組立体２は、ハンドル軸３０の先端に回転不能に装着されたハンドルアーム６と、ハンドルアーム６の一端にハンドルアーム６の一端部と直交する軸回りに回転自在に装着されたハンドル把手７と、ハンドル把手７をハンドルアーム６に回転自在に装着するための回転支持部８とを有している。ハンドル組立体２において、ハンドルアーム６のハンドル軸３０装着部分が回転支持部８の装着部分よりリール本体１から離反している。つまり、ハンドル把手７の基端部の回転平面がハンドルアーム６のハンドル軸３０への固定部分の回転平面よりリール本体１側に接近している。
【００２７】
ハンドルアーム６は、ハンドル軸３０の径方向に延び２箇所で屈曲した平板状の金属製の部材である。ハンドルアーム６は、図２に示すように、ハンドル軸３０の先端に形成された面取り部３０ａに回転不能に係止されており、固定ナット３０ｂによりハンドル軸３０に着脱自在に固定されている。
【００２８】
スプール１５は、図２に示すように、第１側板１０及び第２側板１１の間に回転自在に配置されている。スプール１５は、糸巻胴部１５ａと、糸巻胴部１５ａの両端に一体で形成されたフランジ部１５ｂとを有している。スプール１５の中心にはスプール軸２５が貫通して固定されている。スプール軸２５は第１カバー１３及び機構装着板１６に軸受２６ａ、２６ｂを介して回転自在に支持されている。
【００２９】
機構装着板１６と第２カバー１４の間の空間には、ハンドル組立体２からのトルクをスプール１５に伝えるための回転伝達機構２０と、回転伝達機構２０内に設けられたクラッチ機構２１と、クラッチ機構２１をオン、オフ操作するためのクラッチ操作機構２２とが配置されている。第２カバー１４の側部後方には、クラッチ操作機構２２を操作するクラッチ操作レバー３５が揺動自在に配置されている。
【００３０】
回転伝達機構２０は、一端にハンドル組立体２が固定されたハンドル軸３０と、ハンドル軸３０の他端に回転制御機構２３を介して連結されたメインギア３１と、メインギア３１に噛み合うピニオンギア３２とを有している。このような構成では、クラッチ機構２１がオンされた状態では、ハンドル組立体２からのトルクがメインギア３１及びピニオンギア３２を介してスプール１５に直接伝達される。
【００３１】
このようなレベルワインド機構を有していない両軸受リールを用いて釣りを行っているとき、特に、ジギング時において釣竿を下げたときに、釣り糸に作用する張力が減少したりすることがある。このように釣り糸に作用する張力が減少した状態で風が吹くと、釣り糸がふけるが、ここでは糸ふけ防止部材５０が設けられているので、釣り糸がふけてもガイド部５１によって釣り糸の左右方向の移動が規制され、釣り糸が第１側板１０及び第２側板１１の外側に移動することがなくなる。したがって、このような糸ふけ防止部材５０を設けることにより、糸ふけによる偏った巻き付けを抑えることができる。
【００３２】
また、このようなレベルワインド機構を有していない両軸受リールでは、リールの前方にて釣り糸を指先で摘んで張力を付与しながら釣り糸を左右方向に移動させて釣り糸をスプール１５に巻き付ける動作を行うことがある。このような動作を行うとき、特に、釣り糸を摘む動作を行うときに風が吹くと、釣り糸がリール本体の外側にふけてしまう場合がある。しかし、ここでは糸ふけ防止部材５０が設けられているので、釣り糸がふけてもガイド部５１によって釣り糸の左右方向の移動が規制され、釣り糸が第１側板１０及び第２側板１１の外側に移動することがなくなり、このため釣り糸を摘みやすくなる。
【００３３】
〔他の実施形態〕
（ａ）  前記実施形態では、レベルワインド機構を有さない丸型リールを例にあげて説明したが、これに限定されるものではなく、他のあらゆる種類のレベルワインド機構を有さない両軸受リールにも本発明を適用できる。
【００３４】
（ｂ）  前記実施形態では、糸ふけ防止部材５０は、連結部材１２に着脱自在に設けられていたが、連結部材１２や第１側板１０及び第２側板１１に糸ふけ防止部材５０を着脱不能に固定してもよい。
【００３５】
（ｃ）  前記実施形態では、糸ふけ防止部材５０は、ガイド部５１が略コ字状に折れ曲がる針金部材であったが、これに限定されるものではない。また、前記実施形態では、ガイド部５１及び装着部５２が１本の針金部材により一体成形されていたが、ガイド部５１と装着部５２とをそれぞれ別部材で形成してもよい。
【００３６】
（ｄ）  前記実施形態では、ガイド部５１の釣り糸の左右方向の移動範囲Ａは、スプール１５の釣り糸が巻かれる部分の幅Ｂより小さくなっていたが、図５に示すように、ガイド部５１の釣り糸の左右方向の移動範囲Ａとスプール１５の釣り糸が巻かれる部分の幅Ｂとが略同一であってもよい。
【００３７】
（ｅ）  前記実施形態では、糸ふけ防止部材５０は、連結部材１２に装着されていたが、図６に示すように、第１側板１０及び第２側板１１の内側面に装着してもよい。ここでは、装着部５２は、連結部材１２に沿って両側方に延びており、その両端部がそれぞれ第１側板１０及び第２側板１１の内側面に形成された図示しない装着凹部に取り付けられている。
【図面の簡単な説明】
【００３８】
【図１】本発明の一実施形態を採用した両軸受リールの後方から見た斜視図。
【図２】前記両軸受リールの平面断面図。
【図３】前記両軸受リールの前方から見た斜視図。
【図４】糸ふけ防止部材の後方から見た拡大斜視図。
【図５】他の実施形態の図２に相当する図。
【図６】他の実施形態の図３に相当する図。
【符号の説明】
【００３９】
１  リール本体
１０  第１側板
１１  第２側板
１２  連結部材
１５  スプール
２５  スプール軸
５０  糸ふけ防止部材
５１  ガイド部
５２  装着部
ＲＤ  釣竿
【図１】
2005130707.tif 000003
【図２】
2005130707.tif 000004
【図３】
2005130707.tif 000005
【図４】
2005130707.tif 000006
【図５】
2005130707.tif 000007
【図６】
2005130707.tif 000008